(57)【要約】  連続して排列される複数の人工歯２を着脱可能に固定して、隣接する人工歯との排列位置関係及び上方又は下方の人工歯との排列位置関係を保持する人工歯収納部７を設け、該人工歯収納部７が、前記複数の人工歯２を、歯頸部周辺を露出した状態で咬合面から被覆することを特徴とする、人工歯包装容器１。
2009019769.tif 000002
【特許請求の範囲】
【請求項１】
連続して排列される複数の人工歯を着脱可能に固定して、隣接する人工歯との排列位置関係及び上方又は下方の人工歯との排列位置関係を保持する人工歯収納部を設け、
該人工歯収納部が、前記複数の人工歯を、歯頸部周辺を露出した状態で咬合面から被覆することを特徴とする、人工歯包装容器。
【請求項２】
前記人工歯収納部が、人工第１小臼歯収納部と、人工第２小臼歯収納部と、人工第１大臼歯収納部と、人工第２大臼歯収納部とからなり、
前記人工歯収納部の前記人工第１小臼歯収納部側の周壁部に、人工第１小臼歯と人工犬歯との排列位置関係を調整する位置決め用スリットを設けたことを特徴とする、請求項１に記載の人工歯包装容器。
【請求項３】
前記人工歯収納部の舌側面接触側の周壁部に、仮想咬合平面に対して平行に配置する平面プレート部を設けたことを特徴とする、請求項１に記載の人工歯包装容器。
【請求項４】
ポリ塩化ビニール、ポリスチレン、ポリエチレンテレフタレート、ポリプロピレン、アモルファス−ポリエチレンテレフタレートからなる厚さ０．２ｍｍ〜２．０ｍｍの樹脂材料で構成されることを特徴とする、請求項１に記載の人工歯包装容器。
【請求項５】
前記人工歯収納部の周壁部が、前記複数の人工歯の最大豊隆部より歯頸部側に向かって延在し、前記複数の人工歯に沿って接触することを特徴とする、請求項１に記載の人工歯包装容器。
【請求項６】
前記人工歯収納部の咬合面接触側壁部に、前記複数の人工歯のそれぞれの咬合面中央付近に位置する粘着剤注入用貫通孔を設けたことを特徴とする、請求項１に記載の人工歯包装容器。
【請求項７】
前記人工歯収納部の周壁部に、前記複数の人工歯が圧入固定されることを特徴とする、請求項１に記載の人工歯包装容器。
【発明の詳細な説明】
【技術分野】
【０００１】
本発明は、歯科医療おいて義歯作製時に使用する人工歯の搬送や保管等を目的として使用される人工歯包装容器に関するものである。
【背景技術】
【０００２】
既製の人工歯は、咬合器を用いて義歯を作製する際に、ワックスリムに形成した隆起部に配置し、個々の患者の咬合状態に合わせてその排列を調整する。前記人工歯には、通常、左右の中切歯、側切歯、犬歯に対応する上顎及び下顎用人工前歯１２本と、左右の第１小臼歯、第２小臼歯、第１大臼歯、第２大臼歯に対応する上顎及び下顎用人工臼歯１６本とがある。通常、前記人工歯の販売に際しては、上顎用人工前歯又は下顎用人工前歯６本、あるいは、上顎用人工臼歯又は下顎用人工臼歯８本を一列に配置して、樹脂製の座板上に粘着ワックス等で固定する（例えば、特許文献１及び特許文献２）。人工歯の色調及び形態、製造社名等の必要情報を歯科医師や歯科技工士に提供するため、前記座板には、人工歯の収容部よりも上方又は下方に位置する表示用のスペースが設けられる。【０００３】
特許文献３には、形態選択と色調選択が容易に行える人工歯付座板が開示されている。しかしながら、前記特許文献１〜３のような構成では、人工歯の排列の際に、人工歯の上下左右の位置関係が明瞭となっていないため、排列する人工歯によっては、咬合調整作業が煩雑なものとなり、患者の咬合状態に十分に適合しない義歯が作製される可能性がある。また、前記のような座板では、生産工程において座板に記載された部位とは異なる部位の人工歯を誤って貼り付けてしまうという問題もある。さらに、人工歯を使用した場合には、前記座板の分別廃棄が煩雑になるという問題もある。【０００４】
前記特許文献１〜３の座板と異なり、歯科補綴学的位置関係での容易な排列が実現できるように、特許文献４には、人工歯を維持用ホルダーで連結し、さらに、上下の人工歯を着脱自在に接合した上下接合人工歯が開示されている。しかしながら、前記のような構成では、排列後に人工歯と維持用ホルダーの分離作業が必要であり、また、接合部の切除には、ニッパー等の工具が必要となり、排列時の作業が、かえって煩雑になるという問題がある。
【特許文献１】特開２０００−２３７２１３号公報
【特許文献２】特開２００２−３１５７６４号公報
【特許文献３】特開２００３−３１０６４５号公報
【特許文献４】特開２００１−１３７２６２号公報
【発明の開示】
【発明が解決しようとする課題】
【０００５】
したがって、本発明は、主として人工歯の保管や搬送を目的として使用されていた包装材料に排列補助機能を付加し、排列時の作業効率の向上、使用原料の削減、生産工程の効率安定化、及び廃棄による環境破壊の抑制等を図ることを課題とする。
【課題を解決するための手段】
【０００６】
前記課題を解決するための手段として、本発明は、連続して排列される複数の人工歯を着脱可能に固定して、隣接する人工歯との排列位置関係及び上方又は下方の人工歯との排列位置関係を保持する人工歯収納部を設け、該人工歯収納部が、前記複数の人工歯を、歯頸部の周辺を露出した状態で咬合面から被覆する。【０００７】
前記人工歯収納部が、人工第１小臼歯収納部と、人工第２小臼歯収納部と、人工第１大臼歯収納部と、人工第２大臼歯収納部とからなり、前記人工歯収納部の前記人工第１小臼歯収納部側の周壁部に、人工第１小臼歯と人工犬歯との排列位置関係を調整する位置決め用スリットを設けるのが好ましい。【０００８】
前記人工歯収納部の舌側面接触側の周壁部に、仮想咬合平面に対して平行に配置する平面プレート部を設けるのが好ましい。【０００９】
本発明に係る人工歯包装容器は、ポリ塩化ビニール、ポリスチレン、ポリエチレンテレフタレート、ポリプロピレン、アモルファス−ポリエチレンテレフタレートからなる厚さ０．２ｍｍ〜２．０ｍｍの樹脂材料で構成されるのが好ましい。【００１０】
前記人工歯収納部の周壁部が、前記複数の人工歯の最大豊隆部より歯頸部側に向かって延在し、前記複数の人工歯に沿って接触するのが好ましい。【００１１】
前記人工歯収納部の咬合面接触側壁部に、前記複数の人工歯のそれぞれの咬合面中央付近に位置する粘着剤注入用貫通孔を設けるのが好ましい。【００１２】
前記人工歯収納部の周壁部に、前記複数の人工歯が圧入固定されるのが好ましい。
【発明の効果】
【００１３】
本発明に係る人工歯包装容器の人工歯包装容器への収納状態は、各人工歯の排列状態で収納されていることが好ましく、さらに好ましくは、義歯作製時に、人工歯包装容器に収納した各人工歯を蝋着した場合に、義歯上で人工排列をなすことであり、隣接する人工歯との排列位置関係及び上方又は下方の人工歯との排列位置関係を保持した状態で、複数の人工歯を一括して排列することができるので、人工歯の排列作業の容易化及び効率化を実現することができる。また、従来の座板に比較して包装構造が簡易化するため、製造原料の削減及び製造工程の効率安定化を図ることができる。さらに、人工歯の固定が、搬送時や保管時等における温度変化によって影響を受けることがないので、人工歯の脱落及び紛失を防止することができる。
【図面の簡単な説明】
【００１４】
【図１】（ａ）は、本発明の実施形態に係る人工歯包装容器を下顎左用人工臼歯に固定する方法を示す斜視図であり、（ｂ）は、下顎左用人工臼歯を固定した状態の（ａ）の人工歯包装容器の斜視図である。
【図２】図１に示した人工歯包装容器の正面図である。
【図３】図２における人工歯包装容器のＩＩＩ−ＩＩＩ線断面図である。
【図４】図１に示した人工歯包装容器の左側面図である。
【図５】図１に示した人工歯包装容器の底面図である。
【図６】図１に示した人工歯包装容器の背面図である。
【図７】図１に示した人工歯包装容器の右側面図である。
【図８】図１に示した人工歯包装容器の平面図である。
【図９】図７における人工歯包装容器のＩＸ−ＩＸ線断面図であって、人工第１小臼歯を人工第１小臼歯収納部に固定する方法を示したものである。
【図１０】人工歯の咬合状態を調整する咬合器の斜視図である。
【図１１】図１に示した人工歯包装容器の人工歯収納部に固定した下顎左用人工臼歯を、ワックスリムに取り付けた状態を示す斜視図である。
【図１２】図１に示した人工歯包装容器を使用して、左右の下顎用人工臼歯をワックスリムに排列する方法を示す説明図である。
【図１３】（ａ）は、離脱補助用把持プレートを設けた本発明の実施形態に係る人工歯包装容器の変形例を示す右側面図であり、（ｂ）は、（ａ）における人工歯包装用容器のＢ−Ｂ線拡大断面図であり、人工第１小臼歯を人工第１小臼歯収納部に固定した状態を示している。
【符号の説明】
【００１５】
１  人工歯包装容器
２  下顎左用人工臼歯
２’  下顎右用人工臼歯
３  下顎左用人工第１小臼歯
４  下顎左用人工第２小臼歯
５  下顎左用人工第１大臼歯
６  下顎左用人工第２大臼歯
７  人工歯収納部
８  人工第１小臼歯収納部
９  人工第２小臼歯収納部
１０  人工第１大臼歯収納部
１１  人工第２大臼歯収納部
１２  咬合面接触側壁部
１３  周壁部
１４  スリット
１５  粘着剤注入用貫通孔
１６，１６’  平面プレート部
１７  連結部
１８  咬合器
１９  下顎用固定部
２０  下顎模型
２１  下顎用ワックスリム
２２  下顎用基礎床
２３  下顎用人工前歯
２４  下顎左用人工犬歯
２５  咬合平面板
２６  離脱補助用把持プレート
【発明を実施するための最良の形態】
【００１６】
以下、添付の図面に従って、本発明を説明する。【００１７】
図１〜図１１は、人工歯を包装する本発明の実施形態に係る人工歯包装容器１を示したものである。ここで、「人工歯」とは、人工臓器である義歯を作製する際に使用される既製品の歯であり、その種類、色調、形態によって多種多様のものがあるが、大別して陶製加工の「陶歯」と、樹脂製加工の「レジン歯」がある。また、人工歯は、通常、上顎用人工前歯６本、下顎用人工前歯６本、上顎用人工臼歯８本、下顎用人工臼歯８本をそれぞれ１セットとして販売されている。「咬合平面」とは、下顎における左右両側中切歯切縁近心隅角間の中点と、左右側の第２大臼歯遠心頬側咬頭頂を含めて規定される平面をいう。「仮想咬合平面」とは、左右いずれかの鼻翼下縁と両側の耳珠上縁によって形成されるカンペル平面を利用して決定される平面をいい、咬合平面を設定する際の基準となるものである。【００１８】
人工歯包装容器１は、弾性力のある樹脂材料からなり、図１〜図９に示すように、連続して排列される複数の人工歯を任意に組合せて包装するものであり、本実施形態では、下顎左用人工第１小臼歯３と、下顎左用人工第２小臼歯４と、下顎左用人工第１大臼歯５と、下顎左用人工第２大臼歯６とからなる４本の下顎左用人工臼歯２を包装する容器について例示して説明する。【００１９】
人工歯包装容器１は、図３〜図５に示すように、所定の形状で構成された４本の下顎左用人工臼歯２を収納して保持する人工歯収納部７を備える。人工歯収納部７は、下顎左用人工第１小臼歯３を収納固定する人工第１小臼歯収納部８と、下顎左用人工第２小臼歯４を収納固定する人工第２小臼歯収納部９と、下顎左用人工第１大臼歯５を収納固定する人工第１大臼歯収納部１０と、下顎左用人工第２大臼歯６を収納固定する人工第２大臼歯収納部１１とからなる。人工歯収納部７は、図１〜図４等に示すように、下顎左用人工臼歯２の咬合面と接触する咬合面接触側壁部１２と、下顎左用人工臼歯２の側面と接触するする周壁部１３とからなる。人工歯収納部７の咬合面接触側壁部１２と周壁部１３の内面は、図３に示すように、下顎左用人工第１小臼歯３、下顎左用人工第２小臼歯４、下顎左用人工第１大臼歯５、下顎左用人工第２大臼歯６の順番で連続して排列される４本の下顎左用人工臼歯２に対応した形状で構成される。また、人工歯収納部７の咬合面接触側壁部１２と周壁部１３の内面は、隣接する人工歯との排列位置関係及び下顎左用人工臼歯に対応する上方の上顎用人工臼歯との排列位置関係に対応した形状で構成される。人工歯収納部７は、各人工臼歯３〜６を、歯頸部周辺を露出した状態で咬合面から被覆する。人工歯収納部７は、スリット１４を備える。スリット１４は、図２及び図９に示すように、人工第１小臼歯収納部８側の周壁部に形成される。スリット１４は、図１、図２、及び図９等に示すように、下顎左用人工第１小臼歯３と隣接して排列される下顎左用人工犬歯２４に対応した形状で構成され、咬合面接触側壁部１２に向かって延在する。人工歯包装容器１の周壁部１３の頬側面接触側の内面は、図９に示すように、各下顎左用人工臼歯３〜６の最大豊隆部より歯頸部側に向かって延在し、各下顎左用人工臼歯３〜６の頬側面と接触する。人工歯包装容器１は、粘着剤注入用貫通孔１５を備える。粘着剤注入用貫通孔１５は、直径１ｍｍ〜２ｍｍの円形で構成され、人工歯収納部７の咬合面接触側壁部１２に形成される。粘着剤注入用貫通孔１５は、人工歯収納部７に固定される各人工臼歯３〜６の咬合面中央付近に位置する。【００２０】
人工歯包装容器１は、仮想咬合平面に対して平行に配置する平面プレート部１６を備える。平面プレート部１６は、連結部１７を介して、周壁部１３の舌側面接触側の外壁面に連結され、図１２に示すように、周壁部１３の舌側面接触側の外壁面に対して略垂直に延在する。平面プレート部１６には、４本の下顎左用人工臼歯３〜６の形態及び色調、製造社名等の必要事項が表示される。【００２１】
人工歯包装容器１は、熱軟化性のある材料で、透明な容器として構成されるのが好ましく、例えば、ポリ塩化ビニール（ＰＶＣ）、ポリスチレン（ＰＳ）、ポリエチレンテレフタレート（ＰＥＴ）、ポリプロピレン（ＰＰ）、アモルファス−ポリエチレンテレフタレート（Ａ−ＰＥＴ）等、再利用が可能で弾性力のある厚さ０．２ｍｍ〜２．０ｍｍの樹脂材料を用いて製造される。人工歯包装容器１は、加熱した材料フィルムを金型に押し付ける圧空成形等の公知の方法を用いて成形される。【００２２】
次に、本実施形態に係る人工歯包装容器１で下顎左用人工臼歯２を包装した場合の作用について説明する。【００２３】
本実施形態に係る人工歯包装容器１を用いて下顎左用人工臼歯２を包装する場合には、図１及び図９に示すように、まず、４本の下顎左用人工臼歯３〜６を、対応する各人工臼歯収納部８〜１１に押し込んで挿入する。これにより、人工歯包装容器１は、各下顎左用人工臼歯３〜６を、対応する各人工臼歯収納部８〜１１に着脱可能に固定する。その結果、人工歯包装容器１は、周壁部１３の頬側面接触側の内面が各下顎左用人工臼歯３〜６の最大豊隆部を越えて接触する。各下顎左用人工臼歯３〜６は、人工歯包装容器１の頬側面接触側の周壁部１３が外側方向へ弾性変形しない限り、最大豊隆部によって各下顎左用人工臼歯３〜６の移動が制限されるので、人工歯収納部７より脱落することがない。【００２４】
上記のように、各人工臼歯収納部８〜１１の内面が、４本の下顎左用人工臼歯２に対応した形状で構成され、かつ、隣接する人工歯との排列位置関係及び下顎左用人工臼歯２に対応する上方の上顎用人工臼歯との排列位置関係に対応した形状で構成されているので、各下顎左用人工臼歯３〜６が、対応する各人工臼歯収納部８〜１１に固定された場合、人工歯包装容器１は、隣接する人工歯との排列位置関係及び上方の上顎左用人工臼歯との排列位置関係を保持する。また、各下顎左用人工臼歯３〜６は、最大豊隆部を利用して各人工臼歯収納部８〜１１に固定されるので、搬送時や保管時等において温度変化の影響を受けることがなく、下顎左用人工臼歯３〜６のいずれかが人工歯包装容器１から脱落して紛失するようなことがない。【００２５】
人工歯の切削調整によって最大豊隆部が消失等した場合には、粘着剤注入用貫通孔１５よりワックス等の粘着剤を注入して、各人工臼歯３〜６を人工歯収納部７に固定する。【００２６】
次に、本実施形態に係る人工歯包装容器１で包装された下顎左用人工臼歯を使って義歯を作製する場合の作業について説明する。【００２７】
まず、図１０に示すように、人間の顎の運動を擬似的に再現する咬合器１８の下顎用固定部１９に下顎模型２０を固定し、馬蹄形の下顎用ワックスリム２１を樹脂製の下顎用基礎床２２に取り付ける。電気ゴテ又はバーナーで熱した歯科用インストゥメントを押し当てて下顎用ワックスリム２１の隆起部を軟化させる。軟化した下顎用ワックスリム２１の隆起部に下顎用人工前歯２３をそれぞれ埋入して排列する。咬合器１８で下顎用人工前歯２３同士の咬合状態の調整が完了した後、下顎用人工前歯２３の歯頸部をワックス等で固定する。【００２８】
上記のように、下顎用人工前歯２３の排列及び咬合調整が完了した後、下顎左用臼歯２の埋入部分の下顎用ワックスリム２１の隆起部を、前記電気ゴテ等で軟化させる。軟化した下顎用ワックスリム２１の隆起部に、本発明の実施形態に係る人工歯包装容器１に包装された４本の下顎左用人工臼歯２を埋入する。この際、人工歯包装容器１のスリット１４を基準にして、下顎左用人工第１小臼歯３と隣接する下顎左用人工犬歯２４との位置関係を調整すると同時に、図１２に示すように、仮想咬合平面に対して平行に調節した咬合器１８の咬合平面板２５を利用して、人工歯包装容器１の平面プレート部１６が、前記仮想咬合平面に対して平行に配置されるようにその位置を調整する。上記と同様の方法で、本発明の実施形態の形状と左右対称の人工歯包装容器１’で包装された右側の下顎右用人工臼歯２’を下顎用ワックスリム２１の隆起部に埋入する。図１２に示すように、歯科医師等は、左右の人工歯包装容器１，１’の平面プレート部１６，１６’が咬合器１８の咬合平面板２５に対して平行であることを確認して左右の下顎用人工臼歯２，２の排列を決定し、歯頸部をワックス等で固定する。人工歯固定用のワックス等が硬化した場合には、左右の人工歯包装容器１，１’を左右の下顎用人工臼歯２，２’から取り外して、下顎用人工臼歯２，２’の排列作業が完了する。【００２９】
本実施形態に係る人工歯包装容器１によれば、人工歯収納部７が、隣接する人工歯との排列位置関係及び上方の上顎左用人工臼歯との排列位置関係を保持するように４本の下顎左用人工臼歯２を固定しているので、本実施形態に係る人工歯包装容器１に収納された各人工臼歯３〜６は、最も特性を発揮する位置関係をなし、人工臼歯ごとに排列する煩雑さがなく、４本の下顎左用人工臼歯２を一括して排列することができる。【００３０】
また、４本の下顎左用人工臼歯２を下顎用ワックスリム２１の隆起部に排列する場合、スリット１４は、下顎左用人工第１小臼歯３と下顎左用人工犬歯２４との位置合わせの基準となり、また、平面プレート部１６は、４本の下顎左用人工臼歯２の排列基準となる。前記スリット１４及び平面プレート部１６を用いれば、４本の下顎左用人工臼歯２を下顎用ワックスリム２１の隆起部に埋入する場合、隣接する人工歯との排列位置関係及び上方の上顎左用人工臼歯との排列位置関係を容易に調整することができる。【００３１】
なお、本実施形態に係る人工歯包装容器１は、前述したように、本発明を説明するための単なる例示であって、人工歯収納部７の構成が前記のようなものに限定されるものではなく、人工歯収納部７を以下のように構成してもよい。【００３２】
まず、人工歯収納部７の構成は、隣接する人工歯との排列位置関係及び上方又は下方の人工歯との排列位置関係を保持した状態で、連続して排列される複数の人工歯を着脱可能に固定するものであればよく、複数の人工歯を任意に組み合わせて収納固定するように人工歯収納部７を構成することができる。例えば、左右いずれか一方の上顎用人工臼歯４本、上顎用又は下顎用人工歯１４本全部、隣接する上顎用又は下顎用人工前歯２本、４本、あるいは６本を人工歯収納部７に収納される人工歯として組み合わせ、前記組み合わせの人工歯を着脱可能に固定するように人工歯収納部７を構成してもよい。【００３３】
人工歯包装容器１が人工前歯を包装するように構成されている場合には、粘着剤注入用貫通孔１５は、切端部接触面側の壁部にそれぞれ形成される。【００３４】
また、本実施形態に係る人工歯包装容器１は、相互に分離された状態の人工歯を包装するものに限定されず、連続して排列される２歯又は４歯が相互に連結された前歯又は臼歯の連結歯を包装するような構成であってもよい。【００３５】
さらに、人工歯包装容器１は、人工歯包装容器１の弾性力を利用して人工歯が人工歯収納部７に圧入固定されるように、人工歯収納部７を人工歯よりも小さく構成すればよい。【００３６】
図１３に示すように、平面プレート部１６と反対側の周壁部１３の外面に、離脱補助用把持プレート２６を垂設してもよい。人工歯の排列作業が完了した場合、この離脱補助用把持プレート２６を把持すれば、排列した人工歯から本実施形態に係る人工歯包装容器１を離脱させることが容易となる。
【図１】
2009019769.tif 000003
【図２】
2009019769.tif 000004
【図３】
2009019769.tif 000005
【図４】
2009019769.tif 000006
【図５】
2009019769.tif 000007
【図６】
2009019769.tif 000008
【図７】
2009019769.tif 000009
【図８】
2009019769.tif 000010
【図９】
2009019769.tif 000011
【図１０】
2009019769.tif 000012
【図１１】
2009019769.tif 000013
【図１２】
2009019769.tif 000014
【図１３】
2009019769.tif 000015
【国際調査報告】
2009019769.tif 000016
2009019769.tif 000017